(57)【要約】  【課題】  加熱対象に当たる火炎が広がらないように収束させて、加熱範囲を限定できる局部加熱に適したガスバーナを提供する。  【解決手段】ノズル管１内に吸引管２を保持する。吸引管２は、ノズル管１と同心的に伸びて先端がノズル管１の先端部において開口する。吸引管２をベンチュリ管式吸引装置６のような吸引手段に接続する。ノズル管１に、ガス導入管６を接続し、吸引管２との間に燃料ガスを導入する。ノズル管先端の内周と吸引管先端の外周との間を閉じる先端壁３に、複数の火炎孔４を、ノズル管１と同心円周上に並んで形成する。火炎Ｆの中心部の燃焼ガスを吸引管２の先端から吸引して火炎Ｆを収束させる。この結果火炎Ｆの広がりが抑えられ、被加熱物の局部加熱が可能となる。【選択図】図１
2005069511.tif 000002
【特許請求の範囲】
【請求項１】
ノズル管と、このノズル管内をノズル管と同心的に伸びて先端がノズル管の先端部において開口する吸引管と、この吸引管に接続される吸引手段と、ノズル管に接続されノズル管内の吸引管との間に燃料ガスを導入するガス導入管とを具備し、前記ノズル管先端の内周と吸引管先端の外周との間を閉じる先端壁を貫通するようにノズル管と同心円周上に並んで形成された複数の火炎孔を備え、火炎の中心部の燃焼ガスを吸引管の先端から吸引して火炎を収束させることを特徴とするガスバーナ。
【請求項２】
前記吸引手段が、ベンチュリ式吸引装置であることを特徴とする請求項１に記載のガスバーナ。
【請求項３】
前記ノズル管の基端の内周と前記吸引管の外周との間が基端壁で閉塞され、基端壁から突出した吸引管の端部がベンチュリ管に接続され、ベンチュリ管を流通する空気により吸引管内に負圧を生じさせることを特徴とする請求項１に記載のガスバーナ。
【請求項４】
前記火炎孔の軸心が、前記ノズル管の軸心に対して先端側に収束するように傾斜していることを特徴とする請求項１に記載のガスバーナ。
【請求項５】
ノズル管と、このノズル管内をノズル管と同心的に伸びて先端がノズル管の先端部において開口する吸引管と、この吸引管に切替弁を介して択一的に接続される吸引手段及び送気手段と、ノズル管に接続されノズル管内の吸引管との間に燃料ガスを導入するガス導入管とを具備し、前記ノズル管先端の内周と吸引管先端の外周との間を閉じる先端壁を貫通するようにノズル管と同心円周上に並んで形成された複数の火炎孔を備え、火炎の中心部の燃焼ガスを吸引管の先端から吸引して火炎を収束させ、あるいは火炎停止中に吸引管に冷却空気を送り吸引管を冷却することを特徴とするガスバーナ。
【発明の詳細な説明】
【技術分野】
【０００１】
この発明は、例えばガラスの加熱加工に用いられるガスバーナに関し、特に、火炎を収束させて局部の集中加熱を効率よく行うことができるガスバーナに係るものである。
【背景技術】
【０００２】
従来、例えばガラスを加熱加工するためのバーナは、単純に燃料ガスをノズル管から噴出するものである。このようなバーナにおいては、火炎が加熱対象であるガラスに当たって広がりやすく、局部加熱が困難である。なお、バーナノズル管の内側に空気管を保持し、燃料ガス流によって空気を吸引し、逆火の起こらない安全な水素用低NOxバーナが知られている（例えば特許文献１）。
【特許文献１】特開昭５６−７７６０７号公報
【発明の開示】
【発明が解決しようとする課題】
【０００３】
上記従来のバーナは、加熱対象に当たった火炎の広がりを抑えることが困難で、局部加熱に適さないという問題点がある。
従って、この発明は、加熱対象に当たる火炎が広がらないように収束させることによって、加熱範囲を限定することができる局部加熱に適したガスバーナを提供することを課題としている。
【課題を解決するための手段】
【０００４】
この発明においては、上記課題を解決するため、ノズル管１内に、これと同心的に伸びて先端がノズル管１の先端部において開口する空気の吸引管２を保持する。この吸引管１をベンチュリ管式吸引装置６のような吸引手段に接続する。ノズル管１には、ガス導入管７を接続し、ノズル管１内の吸引管２との間に燃料ガスを導入する。ノズル管先端の内周と吸引管先端の外周との間を閉じる先端壁３には、これを貫通する複数の火炎孔４をノズル管１と同心円周上に並んで形成される。火炎Ｆの中心部の燃焼ガスを吸引管２の先端から吸引して火炎Ｆを収束させる。
【発明の効果】
【０００５】
この発明においては、火炎Ｆの中心部の燃焼ガスが、吸引管２の先端から吸引されるから火炎Ｆが収束され、この結果火炎Ｆの広がりが抑えられ、被加熱物の局部加熱が可能となる。
【発明を実施するための最良の形態】
【０００６】
図面を参照してこの発明の実施の形態を説明する。図１は火炎放射中のガスバーナの縦断正面図、図２は火炎放射中のガスバーナの縦断正面図、図３はガスバーナの先端の平面図、図４はガスバーナの縦断側面図である。
【０００７】
図において、１はノズル管で、ノズル管１内には、これと同心的に伸びる吸引管２が貫通している。ノズル管１の先端部は、所定の傾斜角度で先端に収束するように絞られている。吸引管２の先端は、ノズル管１の先端と一致して開口している。ノズル管１の先端の内周と吸引管２の先端の外周との間は、先端壁３により閉じられており、この先端壁３を貫通するように、ノズル管１と同心円周上に並んで複数の火炎孔４が形成されている。火炎孔４は、その軸心が、ノズル管１の軸心に対して先端側に収束するように所定角度（図示の例において６°）傾斜している。
【０００８】
ノズル管１の基端の内周と吸引管２の外周との間は基端壁５で閉塞されている。基端壁５から突出した吸引管２の端部はベンチュリ管６に接続される。ベンチュリ管６の一端側は、逆止弁８を介して図示しないポンプにつながる送気管９に接続され、他端側は電磁弁SVを介して一方は排気管１０に、他方は図示しないポンプにつながる送気管１１に接続される。
【０００９】
ノズル管１には、ガス導入管７が接続され、ノズル管１内の吸引管２との間に酸素と混合された燃料ガスが導入される。
【００１０】
図１に示すように、燃料ガスは、ガス導入管７を介してノズル管１に導かれ、基端壁５の火炎孔４から噴出し、火炎Ｆを形成する。火炎孔４の軸心がノズル管１の中心に収束しているので、火炎も先端において収束する。送気管９からベンチュリ管６に圧送される空気によって吸引管２内に負圧を生じ、火炎Ｆの中心部の燃焼ガスが吸引管２内に吸引されるのに伴い、火炎Ｆを中心側に傾斜させる収束力が生じる。したがって、火炎がガラス板のような被加熱物Ｗに当たっても大きく広がることがなく、加熱部位が狭い範囲Ａに限定される結果、所望部位の局部加熱が可能となる。
【００１１】
図２に示すように、一時的に火炎の放射を停止したアイドルタイムには、燃料ガスが停止されると同時に、電磁弁SVが切り替わり送気管１１を介して冷却用空気がベンチュリ管６に送られ、吸引管２を経てノズル管１の先端から放出される。これにより、動作中に燃焼ガスを吸引して温度上昇した吸気管２が冷却される。
【産業上の利用可能性】
【００１２】
この発明は、例えば、ガラス製品の加熱加工工程において、ガラス材料における所要加工部位を、その周辺部分を軟化させることなく、局部的に加熱する作業に使用するのに有効である。
【図面の簡単な説明】
【００１３】
【図１】火炎放射中のガスバーナの縦断正面図である。
【図２】火炎停止中のガスバーナの縦断正面図である。
【図３】ガスバーナの先端の平面図である。
【図４】ガスバーナの縦断側面図である。
【符号の説明】
【００１４】
１    ノズル管
２    吸引管
３    先端壁
４    火炎孔
５    基端壁
６    ベンチュリ管
７    ガス導入管
８    逆止弁
９    送気管
１０  排気管
１１  送気管
Ａ    加熱範囲
SV    電磁弁
Ｆ    火炎
Ｗ    被加熱物
【図１】
2005069511.tif 000003
【図２】
2005069511.tif 000004
【図３】
2005069511.tif 000005
【図４】
2005069511.tif 000006